(57)【特許請求の範囲】
【請求項１】
視聴中のテレビ放送またはラジオ放送のチャネル情報を入力するための入力手段と、
前記入力手段によって入力されたチャネル情報及びその入力された時刻に基づいて、当該チャネル情報、時刻の情報、及び当該チャネル情報及び時刻情報に関連付けられたテレビ放送またはラジオ放送のＷＷＷサイトに関する情報を要求する要求情報を送信する送信手段と、
前記送信手段により送信された情報に基づいて抽出されたＵＲＬの情報を受信する受信手段と、
前記受信手段により受信されたＵＲＬの情報に基づいてＷＷＷサイトに接続して、このＷＷＷサイトを表示する表示手段と、
を備えたことを特徴とする携帯電話機。
【請求項２】
前記送信手段は、前記番組の放送日時、放送地域、及び放送チャネルの情報を送信し、
前記受信手段は、前記送信手段により送信された放送日時、放送地域、及び放送チャネルの情報に基づいてＵＲＬの情報を抽出することを特徴とする請求項１記載の携帯電話機。
【請求項３】
前記送信手段は、前記番組の放送日時、及び放送地域の情報を送信し、
前記受信手段は、前記送信手段により送信された放送日時、及び放送地域の情報に基づいて、各々の放送チャネルの番組に対してＵＲＬの情報を抽出し、
前記表示手段は、前記各々の放送チャネルに対するＵＲＬの情報を表示することを特徴とする請求項１記載の携帯電話機。
【請求項４】
前記送信手段は、前記番組の放送地域及び放送チャネルの情報を送信し、
前記受信手段は、前記送信手段により送信された放送地域及び放送チャネルの情報、そして、そのときの日時に基づいてＵＲＬの情報を抽出することを特徴とする請求項１記載の携帯電話機。
【請求項５】
前記受信手段は、ＵＲＬの情報と併せて、このＵＲＬのＷＷＷサイトに関する情報を受信することを特徴とする請求項１記載の携帯電話機。
【請求項６】
前記送信手段は、放送地域として、基地局からの位置情報またはＧＰＳ情報を送信することを特徴とする請求項１記載の携帯電話機。
【発明の詳細な説明】
【技術分野】
【０００１】
本発明は、携帯電話機のユーザがテレビやラジオの視聴中にＷＷＷサイトが紹介された際に、簡単にこのＷＷＷサイトを閲覧することができる携帯電話機に関する。
【背景技術】
【０００２】
近年、インターネットの普及に伴い、テレビ放送やラジオ放送の放送中にユーザを所定のＷＷＷサイトへ誘導するために、番組やコマーシャルの中に、検索用のキーワードやＷＷＷサイトのＵＲＬ等が含まれていることがある。ユーザがそれらの情報に基づいてＷＷＷサイトを閲覧するためには、ＰＣなどの情報機器を起動した後、検索用のキーワードやＵＲＬを入力する必要があった。またユーザが、番組やコマーシャルで紹介されたＷＷＷサイトを閲覧しようと思ったときに、既に必要な情報を忘却していることもあり、ＷＷＷサイト閲覧に際して利便性の向上が望まれていた。
【０００３】
そこで、多重化された放送波により報知されるインターネット上のリソースを、携帯電話機により簡便に利用することの可能な通信システムが記載されている（特許文献１参照）。この通信システムにおいて、放送受信機で受信した放送波に含まれるリソース情報を放送受信機で抽出し、この抽出したリソース情報を携帯電話機に転送し、携帯電話機では、この転送されたリソース情報を受け取って保持し、この保持されたリソース情報に基づいて携帯電話通信網経由でインターネット上のリソースを利用する。
【特許文献１】特開２００３−２４４０８２号公報
【発明の開示】
【発明が解決しようとする課題】
【０００４】
ユーザが、テレビやラジオの視聴中に、テレビ番組やラジオ番組、コマーシャル等の中に含まれる検索用キーワードやＵＲＬを用いて、簡単にこのＷＷＷサイトを閲覧することができる携帯電話機が望まれていた。
【０００５】
本発明は、上記課題を鑑みなされたものであり、テレビ放送やラジオ放送の放送波にＷＷＷサイトに関する検索用のキーワードやＵＲＬが含まれていたときに、ユーザが簡単な操作でこのＷＷＷサイトに接続することができ、ＷＷＷサイト閲覧の利便性が向上された携帯電話機を提供することを目的とする。
【課題を解決するための手段】
【０００６】
上記課題を解決するために、本発明に係る携帯電話機は、チャネル情報を入力するための入力手段と、前記入力手段によって入力されたチャネル情報及びその入力された時刻に基づいて、当該チャネル情報、時刻の情報、及び当該チャネル情報及び時刻情報に関連付けられたテレビ放送またはラジオ放送のＷＷＷサイトに関する情報を要求する要求情報を送信する送信手段と、前記送信手段により送信された情報に基づいて抽出されたＵＲＬの情報を受信する受信手段と、前記受信手段により受信されたＵＲＬの情報に基づいてＷＷＷサイトに接続して、このＷＷＷサイトを表示する表示手段と、を備えたことを特徴とする。
【発明の効果】
【０００７】
本発明に係る携帯電話機によると、テレビ放送やラジオ放送の放送波にＷＷＷサイトに関する検索用のキーワードやＵＲＬが含まれていたときに、ユーザが簡単な操作でこのＷＷＷサイトに接続することができ、ＷＷＷサイト閲覧の利便性を向上させることが可能となる。
【発明を実施するための最良の形態】
【０００８】
本発明に係る携帯電話機の実施形態について、添付図面を参照しながら説明する。図１は、本発明に係る携帯電話機１が適用されるネットワークシステム２を示すシステム構成図である。図１に示すように、ネットワークシステム２はネットワーク３を備えている。ネットワーク３は、例えば携帯電話網であり、携帯電話機１の通信サービス提供エリア内に、固定無線局である基地局４が有線回線を介して複数設置されている。移動無線局である携帯電話機１は、この基地局４に対して例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されていて、この基地局４を介して、他の携帯電話機と音声通話を行ったりデータ通信を行ったりする。
【０００９】
またネットワークシステム２は、検索サーバ５を備えていて、携帯電話機１は、例えば基地局４を介して、検索サーバ５に対してデータ通信を行う。検索サーバ５はデータベースを備えていて、携帯電話機１からデータを受信すると、このデータに基づいてデータベースを検索して対応するデータを抽出し、抽出されたデータを携帯電話機１に対して送信する。
【００１０】
またネットワークシステム２は、地上波デジタル放送（地上波デジタルワンセグ放送を含む）の放送局６を備えており、携帯電話機１は、この放送局６から地上波デジタル放送波等を受信して、視聴処理を行う。同様にネットワークシステム２は、ラジオ放送局７を備えていて、携帯電話機１は、このラジオ放送局７からラジオの放送波を受信して、視聴処理を行う。
【００１１】
またネットワークシステム２は、ＧＰＳ（Ｇｌｏｂａｌ  Ｐｏｓｉｔｉｏｎｉｎｇ  Ｓｙｓｔｅｍ）放送局８を備えている。ＧＰＳシステムは、複数の衛星から電波信号を受信機で受信し、受信した電波の時間差によりそれぞれの衛星との相対的な距離差を算出し、その軌跡である双曲面の交点を求める事で現在地情報を求めるシステムである。携帯電話機１は、このＧＰＳ放送局８から、携帯電話機１の現在位置を示す緯度、経度、高度等の情報であるＧＰＳ情報を取得する。なお、現在地情報を求める方法としては、ＧＰＳ放送局８によって求める方法だけではなく、ＧＰＳ放送局８の算出機能を携帯電話機１に具備して携帯電話機１の内部で算出する方法で求めても良い。
【００１２】
ここで、携帯電話機１の構成について説明する。図２（Ａ）は、携帯電話機１の開いた状態を示す正面図、図２（Ｂ）は、本発明に係る携帯電話機１の開いた状態を示す側面図、図３（Ａ）は、携帯電話機１の閉じた状態を示す正面図、図３（Ｂ）は、携帯電話機１の閉じた状態を示す側面図である。
【００１３】
携帯電話機１は、図２及び図３に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図２（Ａ）のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１４】
上筐体１０の内面（下筐体１１に対面する側の面）には、文字や画像等を含んだ表示情報を表示するためのディスプレイ１３が設けられている。ディスプレイ１３は、例えば液晶ディスプレイや有機ＥＬ（Ｅｌｅｃｔｒｏ−Ｌｕｍｉｎｅｓｃｅｎｃｅ）ディスプレイで形成されている。また、上筐体１０の内面には、音声を出力するスピーカ１４が設けられていて、これらのディスプレイ１３やスピーカ１４は、携帯電話機１が閉じた状態のときには、下筐体１１により覆われていて外部に露出していないが、上筐体１０を下筐体１１に対して回転させて開いた状態に変形させたときには外部に露出される。
【００１５】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー、メール機能やＷｅｂ機能を起動するためのショートカットキー等からなる操作キー１５が設けられている。また下筐体１１の内面には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１６】
次に、携帯電話機１の機能について、図４に示す機能ブロック図を用いて説明する。携帯電話機１は、図４に示すように、主制御部２０、電源回路部２１、操作入力制御部２２、表示制御部２３、音声制御部２４、通信制御部２５、記憶部２６、ラジオ受信部２７、地上波デジタル放送受信部２８、及びＧＰＳ制御部２９がバスによって相互に通信可能に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する検索処理や、その他の様々な演算処理や制御処理等を行う。また主制御部２０は常に正確な現在日時を計時している。電源回路部２１は、例えばユーザによる操作キー１５を介した入力に基づいて電源のＯＮ／ＯＦＦ状態を切り替え、電源がオン状態の場合に電力供給源（バッテリ等）から各部に対して電力を供給して、携帯電話機１を動作可能にする。
【００１８】
操作入力制御部２２は操作キー１５に対する入力インタフェースを備えている。この操作入力制御部２２は、操作キー１５の押下を検出すると、その押下された操作キー１５を示す信号を生成して主制御部２０に伝送する。表示制御部２３はディスプレイ１３に対する表示インタフェースを備え、主制御部２０の制御に基づいて、文書や画像等を含んだ表示情報をディスプレイ１３に表示する。
【００１９】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００２０】
通信制御部２５は、主制御部２０の制御に基づいて、基地局４からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局４に対してアンテナ２５ａを介して送信する。また通信制御部２５は、近隣の基地局４から位置情報を定期的に取得し、主制御部２０の指示に基づいて、この位置情報を主制御部２０に伝送する。
【００２１】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する検索処理を行う際の処理プログラムは、例えばＲＯＭに記憶されているものとする。
【００２２】
ラジオ放送受信部２７は、アンテナ２７ａを備えていて、放送局７からのラジオ放送波をアンテナ２７ａを介して受信する。そしてラジオ受信部２７は、受信した放送波から音声信号を生成して、音声制御部２４によりスピーカ１４を介して出力する視聴処理を行う。
【００２３】
地上波デジタル放送受信部２８は、アンテナ２８ａを備えていて、放送局６からの地上波デジタルワンセグ放送波、地上波デジタル放送、地上波３セグメントラジオ放送波等の放送波をアンテナ２８ａを介して受信する。そして地上波デジタル放送受信部２８は、これらの受信した放送波の受信データを音声信号と画像信号に分離して、画像信号を表示制御部２３によりディスプレイ１３に表示するとともに音声信号を音声制御部２４によりスピーカ１４を介して出力する視聴処理を行う。
【００２４】
ＧＰＳ受信部２９は、ＧＰＳ放送局８により放送されているＧＰＳ情報を受信するためのアンテナ２９ａを備え、このアンテナ２９ａを介して受信したＧＰＳ情報に基づいて携帯電話機１の現在位置を示す情報を生成して主制御部２０に伝送する。
【００２５】
次に、検索サーバ５の機能について、図５に示す機能ブロック図を用いて説明する。検索サーバ５は、図５に示すように、検索サーバ５の全体の制御を行う主制御部３０、主制御部３０の制御に必要なデータを記憶するデータベース３１、ネットワーク３を介する携帯電話機１との通信を制御する通信制御部３２がバスによって相互に通信可能に接続されて構成されている。
【００２６】
検索サーバ５の主制御部３０は、ＣＰＵを具備し、検索サーバ５の総括的な制御を行うとともに、後述する検索処理や、その他の様々な演算処理や制御処理等を行う。
【００２７】
データベース３１は、地上波デジタル放送の番組内で紹介されたＷｅｂサイトのＵＲＬを示す地デジＵＲＬ情報４０を記憶している。地デジＵＲＬ情報４０は、放送された日時を示す日時情報４１と、放送された地域を示す地域情報４２と、放送されたチャネルを示すチャネル情報４３と、放送内で紹介されたＷＷＷサイトのＵＲＬを示すＵＲＬ情報４４とがそれぞれ対応付けられた情報である。
【００２８】
例えば図６に示す地デジＵＲＬ情報４０によると、「２００８／０３／３１  ６：００」の日時情報４１、「東京」の地域情報４２、「８ｃｈ」のチャネル情報４３、「ｈｔｔｐ：／／ｗｗｗ．…」のＵＲＬ情報４４がそれぞれ対応付けられている。これは、２００８年０３月３１日６時に東京エリアで８ｃｈで放送されていた番組内またはコマーシャル内で、「ｈｔｔｐ：／／ｗｗｗ．…」のＷＷＷサイトが紹介されたことを意味する。
【００２９】
また、データベース３１は、ラジオ放送の番組内で紹介されたＷｅｂサイトのＵＲＬを示すラジオＵＲＬ情報５０を記憶している。ラジオ情報５０は、放送された日時を示す日時情報５１と、放送された地域を示す地域情報５２と、放送された放送局を示す放送局情報５３と、放送内で紹介されたＷＷＷサイトのＵＲＬを示すＵＲＬ情報５４とがそれぞれ対応付けられた情報である。
【００３０】
例えば図７に示すラジオＵＲＬ情報５０によると、「２００８／０３／３１  ６：００」の日時情報５１、「東京」の地域情報５２、「ＦＭとうきょう」の放送局情報５３、「ｈｔｔｐ：／／ｗｗｗ．…」のＵＲＬ情報５４がそれぞれ対応付けられている。これは、２００８年０３月３１日６時に東京エリアでＦＭとうきょうで放送されていた番組内またはコマーシャル内で、「ｈｔｔｐ：／／ｗｗｗ．…」のＷＷＷサイトが紹介されたことを意味する。
【００３１】
通信制御部３２は、ネットワーク３に対する通信インタフェースを備えていて、ネットワーク３を介して受信したデータを主制御部３０に伝送するとともに、主制御部３０の制御部に基づいて、ネットワーク３を介してデータを送信する。
【００３２】
地上波デジタル放送やラジオ放送等の番組やコマーシャルで、キーワード等を指定して所定のＷＷＷサイトへ誘導する場面が見られる。ユーザが、ＷＷＷサイトの紹介を含んだ地上波デジタル放送やラジオ放送を視聴しているときに、携帯電話機１でこのＷＷＷサイトに従来の方法でアクセスする場合には、携帯電話機１にてＷｅｂブラウザを起動して検索エンジンに接続し、キーワード等を入力する必要があった。しかしながら、携帯電話機１でＷｅｂブラウザを起動したりキーワードを入力したりするのはユーザにとって非常に面倒である。
【００３３】
そこでネットワークシステム２は、地上波デジタル放送やラジオ放送が放送されているときに、放送番組やコマーシャルに関する情報を検索サーバ５に送信すると、検索サーバ５がこの番組内やコマーシャル内で紹介されていたＷＷＷサイトの情報を携帯電話機１に返信することで、ユーザが携帯電話機１でＷＷＷサイトにアクセスするための面倒な操作を省く機能を備えている。
【００３４】
すなわち、図８に示すように、携帯電話機１は、ＷＷＷサイトの紹介を含んだ地上波デジタル放送やラジオ放送が放送されているときに、ユーザによりこのＷＷＷサイトの検索が指示されると、このときに視聴されている番組やコマーシャルに関する情報（放送日時、放送地域、放送チャネル等）を検索サーバ５に送信する。検索サーバ５は、受信した情報に基づいて、データベース３１からＷＷＷサイトに関する情報（ＵＲＬ等）を抽出し、抽出された情報を携帯電話機１に送信する。携帯電話機１は、検索サーバ５からＷＷＷサイトに関する情報を受信すると、この情報に基づいて、ＷＷＷサイトの閲覧処理を行う。
【００３５】
携帯電話機１が、地上波デジタル放送やラジオ放送が放送されているときにＷＷＷサイトの検索が指示された際の検索処理を行う際の手順について、図９に示すフローチャートに基づいて説明する。なお、例えばユーザがＷＷＷサイトの紹介を含んだ地上波デジタル放送を視聴していて、このＷＷＷサイトを閲覧しようとしている場合を一例として説明する。以下、例えば「ステップＳ１０１」を「Ｓ１０１」のように、「ステップ」の語句を省略して説明する。
【００３６】
携帯電話機１の主制御部２０は、ＷＷＷサイトの紹介を含んだ地上波デジタル放送やラジオ放送が放送されているときに、このＷＷＷサイトの検索が指示されたことに基づいて検索処理を開始する。まず主制御部２０は、ユーザによりＵＲＬの検索が指示されたか否かを判断する（Ｓ１０１）。この際、主制御部２０は、例えば所定の操作キー１５の押下に基づいて、ＵＲＬの検索が指示されたものと判断する。ＵＲＬの検索が指示されていない場合（Ｓ１０１のＮｏ）は、主制御部２０はそのまま待機する。
【００３７】
ＵＲＬの検索が指示された場合（Ｓ１０１のＹｅｓ）は、主制御部１０は、ディスプレイ１３の表示画面１３ａに、チャネル情報を入力するためのチャネル入力欄を表示する（Ｓ１０３）。また主制御部２０は、ディスプレイ１３の表示画面１３ａに、検索ボタンを表示する（Ｓ１０５）。このときの表示画面１３ａは、例えば図８に示すように、複数のチャンネルが選択肢として表示されるとともに、検索ボタンが表示された画面であり、ユーザは操作キー１５によりチャンネルを選択した後に、検索ボタンを選択する。
【００３８】
主制御部２０は、検索が指示されたか否かを判断する（Ｓ１０７）。この際、例えばユーザにより検索ボタンが選択されたことに基づいて、検索が指示されたものと判断する。あるいは、所定の操作キー１５に検索処理を関連付けておいて、この所定の操作キー１５が押されたことに基づいて、検索が指示されたものと判断しても良い。検索が指示されていない場合（Ｓ１０７のＮｏ）は、主制御部２０は検索が指示されるまで待機する。
【００３９】
検索が指示された場合（Ｓ１０７のＹｅｓ）は、主制御部２０は、現在日時を示す情報を取得する（Ｓ１０９）。また主制御部２０は、地域を示す情報を取得する（Ｓ１１１）。この際、主制御部２０は、携帯電話機１において地上波デジタルワンセグ放送を視聴するための設定情報から取得しても、ＧＰＳ制御部２９から現在位置を示す情報を取得しても、あるいは通信制御部２５から近隣の基地局４を示す位置情報を取得しても良い。または、ユーザにより操作キー１５を介して入力されるようにしても良く、記憶部２６が予め地域情報を記憶しておくことにより、この地域情報を取得するようにしても良い。
【００４０】
主制御部２０は、ステップＳ１０７にて選択されたチャネルを示す情報、ステップＳ１０９にて取得した現在日時を示す情報、及びステップＳ１１１にて取得した地域を示す情報を、検索サーバ５に送信する（Ｓ１１３）。
【００４１】
検索サーバ５は、携帯電話機１からチャネル、現在日時、地域を示す情報を受信すると、この情報に基づいて、データベース３１からＵＲＬを示す情報を抽出する。そして検索サーバ５は、抽出された情報を携帯電話機１に送信する。
【００４２】
よって主制御部２０は、検索サーバ５からＵＲＬを示す情報を受信したか否かを判断する（Ｓ１１５）。ＵＲＬを受信していない場合（Ｓ１１５のＮｏ）には、主制御部２０はＵＲＬを受信するまで待機する。ＵＲＬを受信した場合（Ｓ１１５のＹｅｓ）は、主制御部２０は、ディスプレイ１３にこのＵＲＬを表示する（Ｓ１１７）。
【００４３】
ユーザは、検索サーバ５により検索されて抽出されたＵＲＬがディスプレイ１３に表示されると、例えば操作キー１５を介して、このＵＲＬのＷＷＷサイトの閲覧を指示する。そこで主制御部２０は、ユーザにより閲覧が指示されたか否かを判断する（Ｓ１１９）。この際、例えば所定の操作キー１５の入力の基づいて、閲覧が指示されたものと判断する。
【００４４】
閲覧が指示された場合（Ｓ１１９のＹｅｓ）は、主制御部２０は、Ｗｅｂブラウザを起動し、ステップＳ１１５にて受信したＵＲＬに基づいて、ＷＷＷサイトをディスプレイ１３に表示する（Ｓ１２１）。また、閲覧が指示されなかった場合（Ｓ１１９のＮｏ）は、ユーザが後でこのＷＷＷサイトを閲覧することを考慮し、ステップＳ１１５にて受信したＵＲＬを記憶部２６に記憶する（Ｓ１２３）
このようにして携帯電話機１は、ＷＷＷサイトの紹介を含んだ地上波デジタル放送やラジオ放送が放送されているときにＷＷＷサイトの検索が指示された際に、チャネルや現在日時、放送地域の情報を検索サーバ５に送信して、検索サーバ５からＷＷＷサイトのＵＲＬを受信することで、ユーザは携帯電話機１を用いて簡単にＷＷＷサイトを閲覧ことができる。
【００４５】
次に、検索サーバ５が、携帯電話機１からチャネル、現在日時、放送地域を示す情報を受信した際に、これらの情報からＷＷＷサイトのＵＲＬを抽出して携帯電話機１に返信する処理を行う際の手順について、図１０に示すフローチャートに基づいて説明する。
【００４６】
まず検索サーバ５の主制御部３０は、携帯電話機１からチャネル、現在日時、放送地域を示す情報を受信したか否かを判断する（Ｓ２０１）。この際、主制御部３０は、携帯電話機１からステップＳ１１３にて送信された情報を受信したことに基づいて、受信したものと判断する。携帯電話機１からチャネル、現在日時、放送地域を示す情報を受信していない場合（Ｓ２０１のＮｏ）は、主制御部３０はそのまま待機する。
【００４７】
携帯電話機１から現在日時、放送地域、チャネルを示す情報を受信した場合（Ｓ２０１のＹｅｓ）は、主制御部３０は、データベース３１に記憶されている地デジＵＲＬ情報４０から、ステップＳ２０１にて受信した現在日時を日時情報４１、放送地域を地域情報４２、チャネルをチャネル情報４３として、これらに対応付けられたＵＲＬ情報４４を取得する（Ｓ２０３）。例えば、図６に示すＵＲＬ情報４０によると、ステップＳ２０１にて「２００８／３／３１  ６：００」の現在日時、「東京」の放送地域、「８ｃｈ」のチャネルを示す情報を取得した場合には、これらに対応付けられた「ｈｔｔｐ：／／ｗｗｗ．・・・」のＵＲＬ情報４４が取得される。
【００４８】
主制御部３０は、携帯電話機１に対して、ステップＳ２０３にて抽出されたＵＲＬ情報４４を送信する（Ｓ２０５）。そして携帯電話機１は、ステップＳ１１５にて、このＵＲＬ情報４４を受信する。
【００４９】
このようにして検索サーバ５は、地上波デジタル放送やラジオ放送の放送日時、放送地域、チャネルに対して、紹介されるＷＷＷサイトのＵＲＬを対応付けて記憶しておくことで、携帯電話機１からチャネル、現在日時、放送地域を示す情報を受信した際に、これらの情報からＷＷＷサイトのＵＲＬを抽出して携帯電話機１に返信する。
【００５０】
なお、実施形態として、ユーザがＷＷＷサイトの紹介を含んだ地上波デジタル放送を視聴している場合について説明したが、ＷＷＷサイトの紹介を含んだラジオ放送を視聴している場合にも同様の処理を行う。この場合には、携帯電話機１は、ステップＳ１０３にてチャネルの代わりに放送局の入力欄を表示し、ステップＳ１１３にてチャネルの代わりに放送局を示す情報を送信する。また、検索サーバ５は、ステップＳ２０３にてラジオＵＲＬ情報５０から日時、地域、放送局を示す情報に基づいて、ＵＲＬを示す情報を取得する。
【００５１】
また実施形態として、携帯電話機１が、ステップＳ１１９にてユーザにより閲覧が指示されることに基づいてステップＳ１２１にてＷＷＷサイトを表示する例について説明したが、ステップＳ１１５にてＵＲＬを受信することに基づいて、ＷＷＷサイトを表示するようにしても良い。
【００５２】
また、携帯電話機１がステップＳ１１３にて検索サーバ５に日時のみ（あるいは日時と放送地域）を送信し、検索サーバ５は、ステップＳ２０３にて日時（あるいは日時と放送地域）に基づいてデータベース３１を検索し、この日時の直近で該当する可能性のあるＵＲＬ情報４４（各々のチャネル情報４３に対応付けられたＵＲＬ情報４４）を複数抽出して、ステップＳ２０５にて携帯電話機１に送信するようにしてもよい。ステップＳ１１５にて複数のＵＲＬ情報４４を受信した携帯電話機１は、ステップＳ１１７にて複数のＵＲＬ情報４４をリストとして表示すると良い。
【００５３】
また、携帯電話機１がステップＳ１１３にて検索サーバ５に放送地域と放送チャネルを送信し、検索サーバ５は、ステップＳ２０３にて放送地域と放送チャネルと、そして現在日時に基づいてデータベース３１を検索し、この日時の直近で該当する可能性のあるＵＲＬ情報４４を複数抽出して、ステップＳ２０５にて携帯電話機１に送信するようにしてもよい。ステップＳ１１５にて複数のＵＲＬ情報４４を受信した携帯電話機１は、ステップＳ１１７にて複数のＵＲＬ情報４４をリストとして表示すると良い。
【００５４】
また、実施形態として、現在日時に基づいてＵＲＬの情報を抽出する例について説明したが、ユーザが、視聴から時間が経った後に検索することも考えられるため、ステップＳ１０３にてチャネルと放送日時を入力するようにしても良い。その場合には、ステップＳ１１３にて、現在日時の代わりに、入力された放送日時が送信される。そして検索サーバ５は、放送日時や放送地域、放送チャンネルに基づいてＵＲＬを抽出する。
【００５５】
また、検索サーバ５は、データベース３１に、携帯電話機１の基地局４に基づいた位置情報、ＧＰＳ情報、その他の地名等を放送地域と対応付けていて記憶していて、基地局４に基づいた位置情報、ＧＰＳ情報、その他の地名等を取得した際に、これらの情報から放送地域を決定するようにすると良い。
【００５６】
また、実施形態として、検索サーバ５がＵＲＬ情報４４のみを送信する例について説明したが、これに限定されず、ＵＲＬ情報４４と併せてキーワードや番組名等を示す情報を送信するようにしても良い。これにより、例えばステップＳ２０３にて複数のＵＲＬ情報４４が抽出された場合等に、ユーザは、キーワードや番組名等から所望のＵＲＬ情報４４を選択することができる。
【００５７】
また、検索サーバ５のデータベース３１に記憶されるＵＲＬ情報は、地上波デジタル放送やラジオ放送の放送中に蓄積されてもよく、また、広告代理店から情報を入手して構築されても良い。なお、広告代理店から情報を入手する方が現実的であると思われる。
【００５８】
本発明に係る携帯電話機１によると、テレビ放送やラジオ放送の放送波にＷＷＷサイトに関する検索用のキーワードやＵＲＬが含まれていたときに、ユーザが簡単な操作でこのＷＷＷサイトに接続することができ、ＷＷＷサイト閲覧の利便性を向上させることが可能となった。
【００５９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型テレビ、携帯型ゲーム機、携帯型音楽再生機等の任意の通信端末であっても良い。
【図面の簡単な説明】
【００６０】
【図１】本発明に係る携帯電話機が適用されるネットワークシステムを示すシステム構成図。
【図２】（Ａ）は、本発明に係る携帯電話機の開いた状態を示す正面図、（Ｂ）は、本発明に係る携帯電話機の開いた状態を示す側面図。
【図３】（Ａ）は、本発明に係る携帯電話機の閉じた状態を示す正面図、（Ｂ）は、本発明に係る携帯電話機の閉じた状態を示す側面図。
【図４】本発明に係る携帯電話機を示す機能ブロック図。
【図５】検索サーバを示す機能ブロック図。
【図６】地デジＵＲＬ情報を示すデータ構成図。
【図７】ラジオＵＲＬ情報を示すデータ構成図。
【図８】本発明に係る携帯電話機における検索処理を説明するための図。
【図９】本発明に係る携帯電話機において検索処理を行う際の手順を示すフローチャート。
【図１０】検索サーバが検索処理を行う際の手順を示すフローチャート。
【符号の説明】
【００６１】
１…携帯電話機，２…ネットワークシステム，３…ネットワーク，４…基地局，５…検索サーバ，６…地上波デジタル放送の放送局，７…ラジオ放送局，８…ＧＰＳ放送局，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ、２７ａ、２８ａ、２９ａ…アンテナ，２６…記憶部，２７…地上波デジタル放送受信部，２８…ラジオ受信部，２９…ＧＰＳ制御部，３０…検索サーバの主制御部，３１…データベース，３２…検索サーバの通信制御部，４０…地デジＵＲＬ情報，５０…ラジオＵＲＬ情報。
【図１】
0005266845.tif 000002
【図２】
0005266845.tif 000003
【図３】
0005266845.tif 000004
【図４】
0005266845.tif 000005
【図５】
0005266845.tif 000006
【図６】
0005266845.tif 000007
【図７】
0005266845.tif 000008
【図８】
0005266845.tif 000009
【図９】
0005266845.tif 000010
【図１０】
0005266845.tif 000011